(57)【要約】  携帯電話からプッシュツートーク（ＰＴＴ）式接続を確立する音声起動方法が開示されている。携帯電話ユーザは、携帯電話上のＰＴＴキーを押し続ける（２２０）。ユーザは、次に通話相手の名前を話す（２３０）。携帯電話は、話された通話相手の名前を認識し（２４０）、認識された名前を携帯電話のメモリ内のエントリと関連付ける（２４５）。携帯電話は、次にディスプレイに通話相手の名前を表示する（２５０）。ユーザは、ほかの通話相手の名前を話すことができるし（２６０）、ＰＴＴキーを解放することもできる。ＰＴＴキーが解放されたとき（２７０）、携帯電話は、携帯電話から表示された通話相手にＰＴＴ接続を開始する（２８０）。携帯電話は、ＰＴＴ接続をするため通話相手の名前に関連付けられた携帯電話のメモリ内のＰＴＴ通話相手のデータを使用する。
2008507895.tif 000002
【特許請求の範囲】
【請求項１】
携帯電話からプッシュツートーク（ＰＴＴ）式接続を確立する音声起動型接続方法であって、
該接続方法は、前記携帯電話上のＰＴＴキーを押し続け（２４０）；
伝えられた通話相手の名前を認識し（２４０）；
認識された前記伝えられた通話相手の名前を前記携帯電話のメモリのエントリと関連付け（２４５）；
前記携帯電話のディスプレイに前記通話相手の名前を表示し（２５０）；
前記携帯電話上の前記ＰＴＴキーを解放し（２７０）；
前記ＰＴＴキーが解放されたとき、ＰＴＴ接続を開始し（２８０）、前記ＰＴＴ接続は、前記携帯電話から前記携帯電話のディスプレイに表示された通話相手までの接続であり、前記ＰＴＴ接続を行うため通話相手の名前に関連付けられた携帯電話のメモリ内のＰＴＴ通話相手データが使用される、音声起動型接続方法。
【請求項２】
請求項１記載の方法であって、前記携帯電話は、セルラ通信網上で動作する前記方法。
【請求項３】
請求項１記載の方法であって、前記携帯電話は、ボイスオーバＩＰ（ＶｏＩＰ）通信網上で動作する前記方法。
【請求項４】
請求項１記載の方法であって、前記携帯電話は、無線ＬＡＮ（ＷＬＡＮ）上で動作する前記方法。
【請求項５】
請求項１記載の方法であって、前記通話相手の名前は、複数の通話相手に関連するグループ名からなる前記方法。
【請求項６】
携帯電話からプッシュツートーク（ＰＴＴ）式接続を確立する音声起動接続方法であって、
伝えられた通話相手の名前を認識し（２４０）；
認識された前記伝えられた通話相手の名前を携帯電話のメモリのエントリと関連付け（２４５）；
前記携帯電話のディスプレイに前記通話相手の名前を表示し（２５０）；
前記ＰＴＴキーが解放されたとき、ＰＴＴ接続を開始し（２８０）、前記ＰＴＴ接続は、前記携帯電話から携帯電話のディスプレイに表示された通話相手までの接続であり、前記ＰＴＴ接続を行うため通話相手の名前に関連付けられた携帯電話のメモリ内のＰＴＴ通話相手データが使用される、音声起動型接続方法。
【請求項７】
請求項６記載の方法であって、前記携帯電話は、セルラ通信網上で動作する前記方法。
【請求項８】
請求項６記載の方法であって、前記携帯電話は、ボイスオーバＩＰ（ＶｏＩＰ）上で動作する前記方法。
【請求項９】
請求項６記載の方法であって、前記携帯電話は、無線ＬＡＮ上で動作する前記方法。
【請求項１０】
請求項３記載の方法であって、通話相手の名前は、複数の通話相手に関連するグループ名からなる前記方法。
【発明の詳細な説明】
【技術分野】
【０００１】
携帯電話のユーザは、通信ならびに組織上の必要から各自の携帯電話に頼る傾向が強まってきている。最近では、セルラ通信網、セッション起動プロトコル（ＳＩＰ）などのボイスオーバＩＰ（ＶｏＩＰ）通信網、あるいは無線ＬＡＮ（ＷＬＡＮ）などにおけるプッシュ・ツー・トーク（ＰＴＴ）技術によって、ユーザ・グループ間の個人的通信の選択肢がこれまでよりも増加している。ＰＴＴによりユーザは、従来の携帯電話における通話に関する極めて厳しい通話設定手続きのいくつかを迂回する即時接続が可能になった。この即時二方向接続の利便性がＰＴＴの魅力となっている。これらの接続を確立のために使われてきた基幹施設、諸システム、ハードウェアが有効に機能しているが、ＰＴＴを起動させるために携帯電話ユーザに課せられるステップは、複雑で面倒に見える。ＰＴＴセッションに複数の当事者が参加する場合に、特にこのことが言える。ユーザのフロント・エンドにおけるＰＴＴ開始動作が複雑であるため、ＰＴＴで達成できる即時接続のメリットを相当減少させた。
【発明の開示】
【発明が解決しようとする課題】
【０００２】
そこで必要なことは、特にＰＴＴセッションに複数の当事者が参加する場合に、ＰＴＴ始動に関連するフロント・エンドの複雑さを減少させる手続きを用意することである。
【課題を解決するための手段】
【０００３】
携帯電話からプッシュ・ツー・トーク（ＰＴＴ）式接続を確立する音声起動（Ｖｏｉｃｅ−ａｃｔｉｖａｔｅｄ）型接続方法が開示される。本発明の開示内で使用される携帯電話という用語は、セルラ通信網、セッション起動プロトコル（ＳＩＰ）などのボイスオーバＩＰ（ＶｏＩＰ）通信網、あるいは８０２．１１ｘプロトコルを用いる無線ＬＡＮ、あるいはこれらの組み合わせの上で動作する電話送受器を指す。携帯電話ユーザは、携帯電話のＰＴＴキーを押し続ける。ユーザは、通話相手の名前を話す。携帯電話は、話された通話相手の名前を認識し、認識された名前を携帯電話のメモリのエントリとを関連付ける。携帯電話は、次にそのディスプレイに通話相手の名前を表示する。ユーザは、このほかの通話相手の名前を伝えるか、あるいはＰＴＴキーを解放することができる。ＰＴＴキーが解放されると、携帯電話は、携帯電話から表示された通話相手にＰＴＴ接続を開始する。携帯電話は、ＰＴＴ接続を行うため通話相手の名前に関連付けられた携帯電話のメモリ内のＰＴＴ通話相手データを使用する。通話相手の名前は、複数の通話相手に関連付けられたグループの名前からなってもよい。
【０００４】
当該方法は、コンピュータプログラム製品として、あるいは携帯電話内のシステムとしてのソフトウェアによって実施されてもよい。
【実施例】
【０００５】
図１は、代表的な携帯電話１００を示す。データを携帯電話に入力するキーパッドとディスプレイとを備えている携帯電話１００が、描かれている。図示されたキーの一つがＰＴＴキー１１０である。ＰＴＴキーが押されると、セルラ、ＳＩＰ、もしくは無線ＬＡＮ等の通信網用の通常の全二重通話の確立モードと異なって、携帯電話１００は、プッシュ・ツー・トーク・モードになる。ＰＴＴキー１１０は、ここでは携帯電話の表面左下のコーナーにハード・ワイヤード・キーとして図示されている。この例は単に図解のためだけに描かれたものである。当該技術分野における通常の技術を有する人であれば、ＰＴＴキーをほかの場所に設けるか、あるいは“ソフトキー”として設けるかを容易に選択できよう。
【０００６】
図１は、ディスプレイ１２０に、いくつかの名前を表示している。これらの名前は、図２と図３について説明するステップにしたがって携帯電話ユーザがＰＴＴ接続を確立したいと思う通話相手もしくはそのグループを表している。
【０００７】
図２は、本発明の第一の実施例を示すフローチャートである。本発明が有効に機能する前に満たされるべき二つの前提条件がある。第一の前提条件は、通信網と通話が確立できるように携帯電話に電源を投入し、十分な信号強度にすることである２１０。第二の前提条件は、音声起動モードをアクティブにすることである２１５。音声起動モードは、携帯電話が、携帯電話ユーザからの音声指示を受けて、それを認識できることを指す。これらの二つステップを前提条件と特徴づけるが、これらは本発明の範囲に影響を与えない。本発明を構成するステップは、これらの条件を満たすことを想定しているが、これらの条件を積極的に満たさせようとするものではない。
【０００８】
第一の実施例においては、携帯電話ユーザがＰＴＴ接続を行おうとするとき、ＰＴＴキーを押して、そのまま押し続ける２２０。ＰＴＴキーを押しながら、ＰＴＴ接続を確立しようとする通話相手の名前、あるいはグループの名前を伝える２３０。携帯電話は、通話相手、もしくはグループの名前を認識する音声認識処理を使用する２４０。上記認識が行われると、携帯電話は、認識された通話相手あるいはグループの名前を携帯電話のメモリ（あるいはＳＩＭカード）内のエントリと関連付けることになる２４５。携帯電話は、携帯電話のメモリ（あるいはＳＩＭカード）の配列通りに通話相手の名前あるいはグループを表示する２５０。ユーザは、さらに別の通話相手の名前あるいはグループを話すかどうかを判断する２６０。ユーザが、別の通話相手をＰＴＴ接続に追加すると決めた場合、携帯電話は、ユーザーが止めるまでステップ２４０と２５０を繰り返すことになる。ユーザは、ＰＴＴキーを解放して終了することを信号で知らせる２７０。その結果、携帯電話のディスプレイ上で確認されたすべての人に対してＰＴＴ接続の確立２８０を開始する。
【０００９】
図３において述べた第二の実施例では、携帯電話のユーザは、ＰＴＴキーを押す前に、ＰＴＴ接続を確立したい通話相手あるいはグループのリストを生成する。
【００１０】
ここでもう一度、ブロック２１０と２１５で説明した前提条件が満たされていると仮定する。今度は、ユーザは、まず通話相手あるいはグループの名前を伝える２３０。携帯電話は、認識を行い２４０、認識された通話相手あるいはグループの名前と携帯電話のメモリ（もしくはＳＩＭカード）内のエントリを関連付ける２４５。次に、携帯電話は、携帯電話のディスプレイに上記の名前を表示する２５０。ＰＴＴ接続のためのすべての通話相手もしくはグループが表示されるまで名前を伝え続けることができる２６０。この時点で、ユーザは、ＰＴＴキーを押してから、解放し３００、上記表示された通話相手およびグループに対してＰＴＴ接続の確立を開始する２８０ことを携帯電話に知らせる。
【００１１】
本発明のコンピュータ・プログラム要素は、ハードウェアおよび／またはソフトウェア（ファームウェア、常駐ソフトウェア、マイクロコード、その他を含む）の中に組み込まれてもよい。本発明は、命令実行システムが利用する、あるいはそのシステムと関連して働く媒体に設けられたコンピュータが利用でき、理解できるプログラム命令、“コード”あるいは“コンピュータ・プログラム”を有するコンピュータが利用でき、もしくは理解できる記憶媒体に組み込むことができるコンピュータ・プログラム製品の形をなしていてもよい。本文書の趣旨に徴して、コンピュータが利用できる、あるいはコンピュータが理解できる媒体は、命令実行システム、装置、もしくはデバイスが使用できる、あるいはこれらと関連して働くプログラムを含み、保存し、通信し、伝播し、あるいは運搬する何らかの媒体であってもよい。コンピュータが利用できる、あるいはコンピュータが理解できる媒体は、電子的、磁気的、光学的、電磁的、赤外線、あるいは半導体のシステム、装置、デバイス、あるいはインターネットのような伝播媒体などであってもよく、しかしこれらに限定されない。ここで留意すべき点をあげると、コンピュータが利用でき、あるいは理解できる媒体は、プログラムが例えば紙その他を光学的に走査して電子的に捕捉されるなどにより、プログラムが印刷され、編集され、コンパイルされ、翻訳され、さもなければ適切な方法で処理される紙、あるいは他の適切な媒体であってもよい。前述したコンピュータ・プログラム製品、および何らかのソフトウェアやハードウェアは、例示的実施例における本発明の機能を実施するための様々な手段を構成する。
【００１２】
一発明の具体的な実施例が本文書に開示されている。当該技術分野における通常の技術を有する人は、本発明が他の環境において別の使用例が可能であることを容易に認識できよう。実際に、実施例、適用例が可能である。以下の請求項は、本発明の範囲を前述の具体的実施例に限定することを意図したものではない。さらに、“ｍｅａｎｓ  ｆｏｒ”のいかなる記述も、一つの要素や一つの請求項の“手段＋機能”という読み方をさせることを意図してはおらず、これに反して、“ｍｅａｎｓ  ｆｏｒ”という記述を特にしていない要素は、たとい請求項が“ｍｅａｎｓ  ｆｏｒ”という用語を含んでいても、手段＋機能の要素と解釈をされることを意図してはいない。
【図面の簡単な説明】
【００１３】
【図１】プッシュ・ツー・トーク・ボタンと通話相手の名前のサンプル表示とを示す代表的な携帯電話を説明する図である。
【図２】本発明の一実施例を説明するフローチャートである。
【図３】本発明の別の実施例を説明するフローチャートである。
【図１】
2008507895.tif 000003
【図２】
2008507895.tif 000004
【図３】
2008507895.tif 000005
【国際調査報告】
2008507895.tif 000006
2008507895.tif 000007
2008507895.tif 000008